(57)【特許請求の範囲】
【請求項１】
レーザー光を発する発光手段と、
該発光手段からのレーザー光を偏向する偏向手段と、
該偏向手段からのレーザー光を感光体上に走査させる第１及び第２の結像レンズと、
内側に前記発光手段、前記偏向手段、前記第１及び第２の結像レンズが配置された光学箱と、
を有する走査光学装置において、
前記光学箱に直接係止され、前記第１及び第２の結像レンズを押圧する一の押さえ部材と、
前記第１の結像レンズが前記押さえ部材によって押圧されて突き当てられる第１の突き当て基準面と、
前記第２の結像レンズが前記押さえ部材によって押圧されて突き当てられる第２の突き当て基準面と、
を有し、
前記第１の突き当て基準面は、前記第１の結像レンズの前記第２の結像レンズと対向する側の反対側の面に当接するよう設けられ、前記第２の突き当て基準面は、前記第２の結像レンズの前記第１の結像レンズと対向する側の反対側の面に当接するように設けられており、
前記押さえ部材が前記第１の結像レンズを押圧する方向と前記第２の結像レンズを押圧する方向とが互いに逆の方向であることを特徴とする走査光学装置。
【請求項２】
前記突き当て基準面は、夫々前記第１及び第２の結像レンズの光軸方向の突き当て基準面であることを特徴とする請求項１に記載の走査光学装置。
【請求項３】
前記押さえ部材はさらにシリンドリカルレンズを押圧することを特徴とする請求項１又は２に記載の走査光学装置。
【請求項４】
前記押さえ部材はさらに折返しミラーを押圧することを特徴とする請求項１又は２に記載の走査光学装置。
【請求項５】
前記押さえ部材はさらにシリンドリカルレンズと、ＢＤレンズが複合された複合レンズを押圧することを特徴とする請求項１又は２に記載の走査光学装置。
【請求項６】
前記押さえ部材は板バネであることを特徴とする請求項１乃至５のいずれか一項に記載の走査光学装置。
【発明の詳細な説明】
【０００１】
【発明の属する技術分野】
本発明は、レーザービームプリンタ、レーザーファクシミリ等に使用される走査光学装置に関するものである。
【０００２】
【従来の技術】
図９は従来のこの種の走査光学装置の光学箱内に配置された各部品の表面図であり、図１０は図９のＡ−Ａ’断面図である。光学箱１にはレーザーユニット２、複合レンズ３、回転多面鏡４、駆動モータ５、第１の結像レンズ６、第２の結像レンズ７、折返しミラー８等が配置され、光学箱１の上部開口には蓋９が被着されている。レーザーユニット２は半導体レーザー光源２ａ、コリメータレンズ２ｂ、光検出部２ｃ等から構成され、複合レンズ３にはシリンドリカルレンズ３ａと光検出用レンズ３ｂが設けられている。そして、回転多面鏡４には偏向反射面４ａが設けられており、回転多面鏡４は駆動モータ５により支持されている。
【０００３】
図１０に示すように、第１の結像レンズ６は一対の板ばね１０、１１により光学箱１に固定され、第２の結像レンズ７も一対の板ばね１２、１３により光学箱１に固定されている。これらの板ばね１０〜１３は結像レンズ６、７の出射光側において光学箱１のばね固定部１４〜１７に配置され、結像レンズ６、７は板ばね１０〜１３により入射光側に押圧されている。
【０００４】
例えば、第１の結像レンズ６には上下のフランジ部６ａ、６ｂが設けられており、下側のフランジ６ｂの長手方向の中心には第１の結像レンズ６の中心位置を決めるための突起６ｃが形成されている。また、第１の結像レンズ６の長手方向の両端部において、下側のフランジ部６ｂには高さ方向基準面６ｄが設けられ、入射光側には光軸方向基準面６ｅが設けられている。
【０００５】
光学箱１には、折返しミラー８で反射したレーザー光を通過させる開口部１ａと、第１の結像レンズ６の突起６ｃを狭持するための一対の位置決めピン１ｂと、第１の結像レンズ６の高さ方向基準面６ｄが突き当てられる高さ方向基準部１ｃと、第１の結像レンズ６の光軸方向基準面６ｅが突き当てられるリブ形状の光軸方向基準部１ｄと、板ばね１０を係止するための図示しない係止爪とが形成されている。
【０００６】
板ばね１０には、第１の結像レンズ６の高さ方向基準面６ｄを光学箱１の高さ方向基準部１ｃに押圧する高さ方向押圧部１０ａと、第１の結像レンズ６の光軸方向基準面６ｅを光学箱１の光軸方向基準部１ｄに押圧する光軸方向押圧部１０ｂと、光学箱１の係止爪に係合する図示しない係合孔とが形成されている。
【０００７】
なお、板ばね１２は第２の結像レンズ７に対応する形状とされ、板ばね１１、１３は板ばね１０、１２にそれぞれ対称的に配置されている。また、ばね固定部１６は板ばね１２に対応する形状とされ、ばね固定部１５、１７はばね固定部１４、１６にそれぞれ対称的に設けられている。
【０００８】
【発明が解決しようとする課題】
このような上述の従来例では、結像レンズ６、７を光学箱１に固定するために４個の異なった形状の板ばね１０〜１３が必要であるため、部品点数が多くなる。また、取り付け工数と取り外し工数が多くなる上に、部品管理が煩雑になることがある。更に、板ばね１０〜１３の押圧力の反力を光学箱１のばね固定部１４〜１７で受ける構造になっているため、板ばね１０〜１３を光学箱１に取り付ける際に大きい力を必要とする。
【０００９】
これらの問題点を解決するためには、結像レンズ６、７を接着剤により固定することも考えられるが、昨今の環境保護の観点から結像レンズ６、７を容易に取り外すことが必須であるため、結像レンズ６、７は板ばね１０〜１３により固定することが望ましい。
【００１０】
本発明の目的は、上述の問題点を解消し、光学レンズの取り付け及び取り外しが容易な走査光学装置を提供することにある。
【００１１】
【課題を解決するための手段】
上記目的を達成するために本発明に係る走査光学装置は、レーザー光を発する発光手段と、該発光手段からのレーザー光を偏向する偏向手段と、該偏向手段からのレーザー光を感光体上に走査させる第１及び第２の結像レンズと、内側に前記発光手段、前記偏向手段、前記第１及び第２の結像レンズが配置された光学箱と、を有する走査光学装置において、前記光学箱に直接係止され、前記第１及び第２の結像レンズを押圧する一の押さえ部材と、前記第１の結像レンズが前記押さえ部材によって押圧されて突き当てられる第１の突き当て基準面と、前記第２の結像レンズが前記押さえ部材によって押圧されて突き当てられる第２の突き当て基準面と、を有し、前記第１の突き当て基準面は、前記第１の結像レンズの前記第２の結像レンズと対向する側の反対側の面に当接するよう設けられ、前記第２の突き当て基準面は、前記第２の結像レンズの前記第１の結像レンズと対向する側の反対側の面に当接するように設けられており、
前記押さえ部材が前記第１の結像レンズを押圧する方向と前記第２の結像レンズを押圧する方向とが互いに逆の方向であることを特徴とする。
【００１５】
【発明の実施の形態】
本発明を図２〜図７に図示の実施の形態に基づいて詳細に説明する。
図１は参考例の走査光学装置の第１、第２の結像レンズと、それらの両方を抑える押さえ部材とを模式的に表した斜視図である。第１、第２の結像レンズ２１、２２はＸＹ平面上でＸ軸方向に離間して並んでいる。なお、この場合に第１、第２の結像レンズ２１、２２は、便宜上、略直方体として図示している。
【００１６】
第１、第２の結像レンズ２１、２２は長尺形状であり、Ｙ軸方向に長いレンズである。第１の結像レンズ２１は面２１ａを有し、この面２１ａは第１の結像レンズ２１の面のうち、第２の結像レンズ２２と対向する面の反対側の面であり、また第１の面２１ａのうち、Ｙ軸方向における端部を２１ｂ、２１ｃで示している。
【００１７】
第２の結像レンズ２２は面２２ａを有し、この面２２ａは第２の結像レンズ２２の面のうち、第１の結像レンズ２１と対向する面の反対側の面であり、面２２ａのうち、Ｙ軸方向における端部を２２ｂ、２２ｃで示している。
【００１８】
第１、第２の結像レンズ２１、２２の上部には押さえ部材２３が載置され、この押さえ部材２３は２個所の屈曲片２３ａ、２３ｂを有している。一方の屈曲片２３ａは第１の結像レンズ２１の面２１ａで第１の結像レンズ２１を押さえ、また他方の屈曲片２３ｂは第２の結像レンズ２２の面２２ａを押さえている。
【００１９】
面２１ａを押す矢印で示す力Ｆ２の方向は、同時に他方の屈曲片２３ｂが面２２ａから離れるように働く。また、面２２ａを押す矢印で示す力Ｆ1の方向は同時に一方の屈曲片２３ｂが面２１ａから離れるように働く。これら力Ｆ1、Ｆ２はＸ軸方向に沿う方向に作用し、互いにその方向は逆向きである。
【００２０】
つまり、押さえ部材２３が一方の結像レンズを押す方向に大きな力を加えても、他方の結像レンズに力が加わることはなく、その結果、押さえ部材２３が屈曲片２３ａ、２３ｂ以外の部分で撓むことを防ぐことができる。
【００２１】
また、押さえ部材２３が両方の結像レンズ２１、２２を互いに逆の方向から押さえているので、それぞれの結像レンズ２１、２２を押さえる力同士が打ち消し合うことになる。
【００２２】
本参考例では、押さえ部材２３は弾性を有する板ばねであることが好ましい。屈曲片がばねとして作用し、嵌め込むだけで結像レンズ２１、２２を押さえることができる。なお、この板ばねは例えば金属製或いは樹脂製であってもよい。
【００２３】
本参考例は、押さえ部材２３は第１、第２の結像レンズ２１、２２の４つの端部２１ｂ、２１ｃ、２２ｂ、２２ｃを押さえる構成であってもよい。これらの４つの端部２１ｂ、２１ｃ、２２ｂ、２２ｃを押さえる構成の場合には、押さえ部材２３は１個で済む。
【００２４】
或いは本参考例は、押さえ部材２３は端部２１ｂ、２２ｂの２個所を押さえる構成であってもよい。更に本実施の形態は、別の図示しない押さえ部材により端部２１ｃ、２２ｃの２個所を押さえてもよい。別の押さえ部材を用いることで、押さえ部材２３は合計２個で済む。つまり、本実施の形態では押さえ部材２３を第１、第２の結像レンズ２１、２２に取り付ける場合に、押さえ部材２３が１個又は２個で済むので、部品点数が少なくて済む。
【００２５】
押さえ部材２３が板ばねである場合に、少ない部品点数を嵌め込むだけで取り付けが完了できるので、組み立てを手作業で行うこともできる。手作業で簡便に組み立てる場合には、組み立てロボット等の高価な製造装置を使用しなくて済む。また、手作業で簡便に組み立てができるので、第１、第２の少なくとも何れかの結像レンズ２１、２２の形状や配置位置が設計変更される場合に、組み立てロボットに組み立て指示をするためのプログラムを作成しなくとも済み、設計変更から生産までの時間を短縮できる。このようなことから、走査光学装置置の製造コストを低下させることができる。
【００２６】
走査光学装置に、図示しない折り返しミラーやシリンドリカルレンス等を設ける場合に、押さえ部材２３が第１、第２の結像レンズ２１、２２を押さえると共に、折り返しミラーやシリンドリカルレンズの少なくとも一方を押さえる構成としてもよい。そのような構成とすることで、折り返しミラーやシリンドリカルレンズを押さえる押さえ部材を用いる必要がなくなり、その結果、部品点数が減り、取り付け作業が簡便になるので、製造コストを下げることができる。
【００２７】
更に、第１、第２の結像レンズ２１、２２の両方を押さえる押さえ部材２３により、これら折り返しミラーやシリンドリカルレンズの少なくとも何れか一方を押さえることができる構成とすれば、折り返しミラーやシリンドリカルレンズ等の少なくとも何れか一方を、第１、第２の結像レンズ２１、２２の少なくとも一方に近付けて配置することができるという設計の自由度が向上する。その結果、走査光学装置の小型化が実現できる。
【００２８】
押さえ部材２３が折返しミラーも押さえる場合には、押さえ部材２３が折返しミラーにまで延在した形状、即ち大きな面積を有する押さえ部材であればよい。また、押さえ部材２３がシリンドリカルレンズも押さえる場合は、押さえ部材２３の一部が折り曲げられることで得られる押圧部により、シリンドリカルレンズを押さえてもよい。
【００２９】
なお、シリンドリカルレンズでなくても、或いはシリンドリカルレンズとＢＤ（Ｂｅａｍ  Ｄｅｔｅｃｔｉｎｇレンズ）とが一体にした複合レンズを押さえ部材２３により押さえてもよい。また、押さえ部材２３が複合レンズを押さえることができれば、ビーム検出手段を結像レンズ２１、２２の近くに配置でき、走査光学装置の小型化が更に実現できる。
【００３０】
図２は第１の実施の形態を示し、押さえ部材２３は第１、第２の結像レンズ２１、２２の互いに対向する面２１ａ、２２ａ同士を押さえている。その他については、参考例と同じである。
【００３１】
図３は第２の実施の形態の走査光学装置において、光学箱の蓋を外した状態を模式的に表した平面図である。図４は図３のＢ−Ｂ’線断面図であり、このＢ−Ｂ’線方向は結像レンズの中心光軸と同方向である。半導体レーザー光源及び同期検知受光部及び半導体レーザーから発生する光束を平行光束にするコリメータレンズを有するレーザーホルダ３１、コリメータレンズからの平行光束を線状に集光するシリンドリカルレンズ３２及び同期検知レンズ（ＢＤレンズ）３３を一体成型した複合レンズ３４、シリンドリカルレンズ３２によって集光され形成される線像の近傍に偏向反射面を有する偏向手段である回転多面鏡３５、この回転多面鏡３５を回転駆動するモータ３６、第１の結像レンズ３７、第２の結像レンズ３８、光束の向きを感光体の方向に変えるための折返しミラー３９等が光学箱４０内に配置されており、光学箱４０の上面は図示しない蓋により密閉されている。
【００３２】
第１、第２の結像レンズ３７、３８の上には、押さえ部材である板ばね４１が被着されている。図３ではその様子を図示するために、第１、第２の結像レンズ３７、３８は点線で図示している。
【００３３】
第１、第２の結像レンズ３７、３８には、それぞれ中央位置決め用の突起３７ａ、３８ａ、高さ方向基準面３７ｂ、３８ｂ、光軸方向基準面３７ｃ、３８ｃが形成されている。光軸方向基準面３７ｃ、３８ｃは、その設けられている方向が第１結像レンズ３７と第２結像レンズ３８とで逆方向とされている。また、光軸方向基準面３７ｃ、３８ｃは結像レンズ３７、３８にそれぞれ２個設けられており、より具体的には結像レンズ３７、３８の中心光軸を挟んで、結像レンズ３７、３８の両端部に設けられている。
【００３４】
光学箱４０には、第１の結像レンズ３７の突起３７ａを挟持するための位置決めピン４０ｂ、高さ方向基準面３７ｂが突き当てられる高さ方向基準部４０ｄ、光軸方向基準面３７ｃが突き当てられる光軸方向基準部４０ｆ、第２結像レンズ３８の突起３８ａを挟持するための位置決めピン４０ｃ、高さ方向基準面３８ｂが突き当てられる高さ方向基準部４０ｅ、光軸方向基準面３８ｃが突き当てられる光軸方向基準部４０ｇ、板ばね４１を取り付けるための位置決めピン４０ｈ、係止突起形状部４０ｉが形成されている。
【００３５】
図５は板ばね４１の斜視図である。板ばね４１には、主走査方向と略平行な板ばね本体部４２、本体部４２の両側から略垂直に立ち下げられ先端部に更に光軸方向のくの字状の押圧形状を備えた複数個の押圧部４３、４４、本体部４２から斜めに立ち下げられ先端部に高さ方向の押圧部を備えた複数個の高さ方向押圧部４５、４６、４７、 シリンドリカルレンズ３２の横方向押圧部４８、光学箱４０に取り付けるときの位置決め孔４９及び係止孔形状５０が設けられている。
【００３６】
押圧部４３、４４は固定部材である板ばね４１の一部を折り曲げて得られ、これら押圧部４３、４４は本体部４２と一体とされている。押圧部４３は光軸方向において第１の結像レンズ３７を偏向手段側に押圧する。また、押圧部４４は光軸方向において、第２の結像レンズ３８を折返しミラー３９側に押圧する。なお、ここでいう偏向手段側と折返しミラー３９側とは、２つの結像レンズ３７、３８の間を境に互いに光軸方向において反対の関係にある。更に、換言すれば、この２つの結像レンズは３７、３８は光軸方向で相反する方向に、押圧部４３、４４によって押圧されている。
【００３７】
なお、この押圧部４３、４４は、２枚の結像レンズ３７、３８の間から、光軸両方向へ２枚の結像レンズ３７、３８を押圧する。そして、この板ばね４１は１枚でありながら、２枚の結像レンズ３７、３８のそれぞれの両端部を押圧する。即ち、この板ばね４１は２枚の結像レンズ３７、３８を４つの押圧部４３、４４により押圧固定する。
【００３８】
組立て時には、各レンズを所定の位置に設置した後に、板ばね４１を上方から光学箱４０の上部に設けた２個の位置決めピン４０ｈに、位置決め孔４９を嵌合するように挿入し、係止孔形状５０が光学箱４０上の係止突起形状４０ｉに達すると、光学箱４０に係止できる。
【００３９】
このとき、第１の結像レンズ３７は板ばね４１上に設けられた光軸方向押圧部４３によって、光学箱４０上の光軸方向基準部４０ｆに光軸方向基準面３７ｅが圧接される。また、板ばね４１上に設けられた高さ方向押圧部４５、４６によって、高さ方向基準部４０ｄに高さ方向基準面３７ｂが圧接され、光学箱４０上に固定される。
【００４０】
同様に、第２の結像レンズ３８は板ばね４１上に設けられた光軸方向押圧部４４によって、光学箱４０上の光軸方向基準部４０ｇに光軸方向基準面３８ｅが圧接される。また、板ばね４１上に設けられた高さ方向押圧部４７によって、高さ方向基準部４０ｅに高さ方向基準面３８ｂが圧接され、光学箱４０上に固定される。
【００４１】
このように第２の実施の形態では、光軸方向押圧部４３と押圧部４４は反対方向の向きとなり、反力がほぼ打ち消し合うため、板ばね４１には装着時に光軸方向の力は発生することはない。
【００４２】
従って、本実施の形態は板ばね４１により一度に第１、第２の結像レンズ３７、３８を固定できる。また、本実施の形態は固定された第１、第２の結像レンズ３７、３８を光学箱４０から取り出す場合に、板ばね４１を一度だけ引き抜けば、その後は容易に第１、第２の結像レンズ３７、３８を光学箱４０から取り出せる。
【００４３】
なお、本実施の形態では、第１、第２の結像レンズ３７、３８を光学箱４０に接着固定していないが、紫外線等で硬化する光硬化型樹脂を用いて、第１、第２の結像レンズ３７、３８のうち少なくとも何れか一方を光学箱４０に強固に接着固定し、更に前述の板ばね４１によって、第１、第２の結像レンズ３７、３８を固定するという形態を適宜に用いてもよい。また、シリンドリカルレンズ３２又は複合レンズ３４についても、同様にして光学箱４０上に仮固定できる。
【００４４】
本実施の形態では、シリンドリカルレンズ３２又は複合レンズ３４の押圧方向は光軸と直角方向のみとし、仮固定としているが、これに図示しない高さ方向の押圧部を加えて、本固定とすることもできる。
【００４５】
このような構成により、レーザーホルダ３１の半導体レーザー光源から発した光束はコリメータレンズにより平行光束とされ、シリンドリカルレンズ３２により回転多面鏡３５の偏向反射面３５ａに線像を集光する。偏向反射面３５ａにおいて偏向反射された光束は、第１の結像レンズ３７、第２の結像レンズ３８、折返しミラー３９を介して、光学箱４０の開口部を通過して図示しない感光体を照射する。このとき、走査光の書き出しタイミングは、偏向反射面３５において偏向反射された光束が、同期検知レンズ３３を経てレーザーホルダ３１上の同期検知受光部に入射した時点がトリガとして設定されている。
【００４６】
第１、第２の結像レンズ３７、３８は、偏向反射面３５ａにおいて反射された光束が感光体上においてスポットを形成するように集光し、またスポットの走査速度が等速に保たれるように設計されている。回転多面鏡３５の回転によって図示しない感光体においては光束による主走査が行われ、また感光体がその円筒の軸線を中心として回転駆動することにより副走査が行われ、感光体の表面には静電潜像が形成される。この静電潜像は図示しない現像装置によりトナー像に顕像化され、このトナー像は記録紙に転写され、その後にトナーは定着装置により加熱定着され、プリントが行われる。このように、この走査光学装置と図示しない感光体を用いて、レーザービームプリンタや複写材などの電子写真方式の画像形成装置を得ることができる。
【００４７】
図６は状態の第３の実施の形態の走査光学装置の平面図、  図７は図６の走査光学装置に蓋６０を被着した状態のＣ−Ｃ’線断面図であり、光学箱６１にはレーザーホルダ６２、複合レンズ６３、回転多面鏡６４、駆動モータ６５、第１の結像レンズ６６、第２の結像レンズ６７、折返しミラー６８等が配置されている。レーザーホルダ６２は半導体レーザー光源６２ａ、コリメータレンズ６２ｂ、光検出部６２ｃ等から構成されている。複合レンズ６３はシリンドリカルレンズ６３ａと光検出用レンズ６３ｂとから成り、回転多面鏡６４には偏向反射面６４ａが設けられており、回転多面鏡６４は駆動モータ６５により支持されている。
【００４８】
ここで、第１、第２の結像レンズ６６、６７は、光軸中心の両側端部に配置された一対の板ばね７０、７１により相互に離反する方向に押圧され、板ばね７０、７１はビス７２、７３により光学箱６１にそれぞれ固定されている。結像レンズ６６、６７と板ばね７０、７１は光軸に対してそれぞれ対称的に配置されている。従って、この実施の形態では、結像レンズ６６、６７の片端部と一方の板ばね７０とについて説明する。
【００４９】
結像レンズ６６、６７には、中央位置決め用の突起６６ａ、６７ａ、高さ方向基準面６６ｂ、６７ｂ、光軸方向基準面６６ｃ、６７ｃ等が形成されている。光学箱６１には、折返しミラー６８で反射したレーザー光を通過させる開口部６１ａ、結像レンズ６６、６７の突起６６ａ、６７ａを挟持するためのそれぞれ一対の位置決めピン６１ｂ、６１ｃ、結像レンズ６６、６７の高さ方向基準面６６ｂ、６７ｂが突き当てられる高さ方向基準部６１ｄ、６１ｅ、結像レンズ６６、６７の光軸方向基準面６６ｃ、６７ｃが突き当てられる光軸方向基準部６１ｆ、６１ｇ、押さえ部材である板ばね７０が取り付けられる溝部６１ｈ等が形成されている
板ばね７０には、光学箱６１の溝部６１ｈにビス７２により固定される本体部７０ａと、本体部７０ａの前端部から立ち上げられた支持部７０ｂを介して略水平に折り曲げられ、第１の結像レンズ６６の高さ方向基準面６６ｂを光学箱６１の高さ方向基準部６１ｄに押圧する第１の高さ方向押圧部７０ｃと、本体部７０ｂの前端部から斜め方向に立ち上げられ、第１の結像レンズ６６の光軸方向基準面６６ｃを光学箱６１の光軸方向基準部６１ｆに押圧する第１の光軸方向押圧部７０ｄと、本体部７０ａの後端部から立ち上げられた支持部７０ｅに略水平に折り曲げられ、第２の結像レンズ６７の高さ方向基準面６７ｂを光学箱６１の高さ方向基準部６１ｅに押圧する第２の高さ方向押圧部７０ｆと、本体部７０ａの後端部から斜めに立ち上げられ、第２の結像レンズ６７の光軸方向基準面６７ｃを光学箱６１の光軸方向基準部６１ｇに押圧する第２の光軸方向押圧部７０ｇとが設けられている。板ばね７０は第１、第２の結像レンズ６６、６７が対向するそれぞれの面において、第１、第２の結像レンズ６６、６７を逆方向に押圧し固定する。
【００５０】
結像レンズ６６、６７を光学箱６１に取り付ける際には、これらを光学箱６１の所定位置に搭載した後に、一方の板ばね７０の本体部７０ａを光学箱６１の一方の溝部６１ｈに沿って挿入し、ビス７２により固定する。このとき、板ばね７０の第１、第２の高さ方向押圧部７０ｃ、７０ｆは、結像レンズ６６、６７を光学箱６１の第１、第２の高さ方向基準部６１ｄ、６１ｅにそれぞれ押圧する。同時に、板ばね７０の第１、第２の光軸方向押圧部７０ｄ、７０ｇは、結像レンズ６６、６７を光学箱６１の第１、第２の光軸方向基準部６１ｆ、６１ｇにそれぞれ押圧する。このとき、結像レンズ６６、６７からの反力が、光軸方向押圧部７０ｄ、７０ｇを介して本体部７０ａの両端部にそれぞれ加わる。しかしながら、板ばね７０は本体部７０ａの両端部に加わる反力が打ち消し合うように設計されているので、板ばね７０が光学箱６１に力を作用することはない。
【００５１】
そして、他方の板ばね７１も板ばね７０と同様に光学箱６１にビス７３により固定する。この際に、他方の板ばね７１も板ばね７０と同様に作用する。
【００５２】
このように本実施の形態では、第１、第２の結像レンズ６６、６７を２個の板ばね７０、７１により光学箱６１に固定するので、部品点数が従来と比較して減少し、取り付け工数と取り外し工程も減少する上に、部品管理も容易になる。また、第１、第２の結像レンズ６６、６７からの反力が板ばね７０、７１の内部で打ち消し合うので、板ばね７０、７１が光学箱６１に作用することはなく、それらの取り付け作業が容易になる。
【００５３】
なお、板ばね７０、７１をビス７２、７３により固定したが、弾性的な爪により係止するように構成することも可能である。
【００５４】
図８は参考例の走査光学装置の断面図であり、光学箱８０の構造は本実施形態の先の形態と比較して若干異なり、第１、第２の結像レンズ６６、６７は、光軸の両側に配置された一対の板ばね８１、８２（板ばね８２は図示せず）により、先の実施の形態とは逆に相互に接近する方向に押圧されている。即ち、光学箱８０には開口部８０ａ、図示しない位置決めピン、第１、第２の溝部８０ｂ、８０ｃ、第１、第２の高さ方向基準部８０ｄ、８０ｅ、第１、第２の光軸方向基準部８０ｆ、８０ｇ等が設けられている。
【００５５】
そして、板ばね８１には結像レンズ６６、６７の間に架設される本体部８１ａ、本体部８１ａの前後端部から下方に折り曲げられ光学箱８０の溝部８０ｂ、８０ｃにそれぞれ挿入される支持部８１ｂ、８１ｃ、支持部８１ｂ、８１ｃの上部から内方に折り曲げられ結像レンズ６６、６７を光学箱８０の高さ方向基準部８０ｄ、８０ｅに押圧する第１、第２の高さ方向押圧部８１ｄ、８１ｅ、支持部８１ｂ、８１ｃの端部近傍から斜めに折り曲げられ結像レンズ６６、６７を光学箱８０の光軸方向基準部８０ｆ、８０ｇに押圧する第１、第２の光軸方向押圧部８１ｆ、８１ｇ等が設けられている。この参考例も、先の実施の形態と同様な効果を達成できる。
【００５６】
【発明の効果】
以上説明したように本発明に係る走査光学装置は、２枚の結像レンズの光軸方向の突き当て基準面を結像レンズの対向面又は背面側に設けたので、各結像レンズの突き当て基準面を光学箱の突き当て基準部に押圧でき、部品点数が従来と比較して減少する。従って、結像レンズの取り付け工数及び取り外し工数が減少し、結像レンズの取り付け及び取り外しが容易になると共に、押さえ部材の管理も容易になる。
【００５７】
また、各結像レンズからの反力を共通の押さえ部材の内部で打ち消し合うようにできるので、押さえ部材が光学箱に力を作用することがなく、結像レンズの取り付け及び取り外しが更に容易になる。
【図面の簡単な説明】
【図１】  参考例の２つの結像レンズと押さえ部材の斜視図である。
【図２】  第１の実施の形態の２つの結像レンズと押さえ部材の斜視図である。
【図３】  第２の実施の形態の平面図である。
【図４】  図２のＢ−Ｂ’線断面図である。
【図５】  板ばねの斜視図である。
【図６】  第３の実施の形態の平面図である。
【図７】  図６のＣ−Ｃ’線断面図である。
【図８】  参考例の図７に相応する断面図である。
【図９】  従来例の平面図である。
【図１０】  図９のＡ−Ａ’線断面図である。
【符号の説明】
２１、２２，３７、３８、６６、６７  結像レンズ
２３  押さえ部材
３１、６３  レーザーホルダ
３５、６４  回転多面鏡
３６  駆動モータ
４０、６１  光学箱
４１、７０、７１  板ばね
【図１】
0004642205.tif 000002
【図２】
0004642205.tif 000003
【図３】
0004642205.tif 000004
【図４】
0004642205.tif 000005
【図５】
0004642205.tif 000006
【図６】
0004642205.tif 000007
【図７】
0004642205.tif 000008
【図８】
0004642205.tif 000009
【図９】
0004642205.tif 000010
【図１０】
0004642205.tif 000011